(57)【要約】【課題】フィルム栓が開口に取り付けられた採血管とゴム栓が開口に圧入された採血管との双方に適用でき、ゴムスリーブの弾性反発力によるキックバック現象およびフィルム栓の破断を生じることなく、採血管に採血を行うことを可能とする採血ホルダーを提供する。【解決手段】筒状本体５２の内周面に第１、第２の突部５５、５６が間隔を隔てて形成されており、第１の突部５５の開口５４側に筒状本体５２の内周面に対して略直交する方向に突出した係止面５５ｂが形成されており、第２の突部５６の開口５４側に開口５４側に向かって径が大きくなる傾斜面５６ｂが形成されており、筒状本体５２内に採血管が挿入され、かつ第１、第２の突部５５、５６に採血管が接触されたときに、第１、第２の突部５５、５６が筒状本体５２の周方向内側に向かう反発力を有しつつ筒状本体５２の周方向外側に拡がるように、筒状本体５２が構成されている、採血ホルダー５１。【選択図】図７
2007313203.tif 000002
【特許請求の範囲】
【請求項１】
一端に採血針を接続するための針接合部を有し、他端に採血管を挿入可能な開口を有する筒状本体を備える採血ホルダーであって、
前記筒状本体の内周面に第１，第２の突部が間隔を隔てて形成されており、前記第１の突部が前記第２の突部よりも前記針接合部側に位置しており、
前記第１の突部の前記開口側に前記筒状本体の内周面に対して略直交する方向に突出した係止面が形成されており、前記第２の突部の前記開口側に前記開口側に向かって径が大きくなる傾斜面が形成されており、
前記筒状本体内に採血管が挿入され、かつ前記第１の突部および／又は前記第２の突部に採血管が接触されたときに、前記第１の突部および／又は前記第２の突部が前記筒状本体の周方向内側に向かう反発力を有しつつ前記筒状本体の周方向外側に拡がるように、前記筒状本体が構成されていることを特徴とする、採血ホルダー。
【請求項２】
前記筒状本体の少なくとも一部が弾性材料を用いて構成されており、それによって前記第１の突部および／又は前記第２の突部が前記筒状本体の周方向内側に向かう弾性反発力を有しつつ前記筒状本体の周方向外側に拡がるように、前記筒状本体が構成されている、請求項１に記載の採血ホルダー。
【請求項３】
前記第１の突部の係止面と前記第２の突部の先端との間隔が１．５〜６．０ｍｍの範囲にある、請求項１または２に記載の採血ホルダー。
【請求項４】
前記筒状本体内に採血管が挿入され、かつ前記第１の突部および／又は前記第２の突部に採血管が接触されたときに、前記第１，第２の突部が協同して前記筒状本体の周方向外側に拡がるように、前記筒状本体が構成されている、請求項１〜３のいずれか１項に記載の採血ホルダー。
【請求項５】
前記第１の突部の先端の内周径が、前記第２の突部の先端の内周径よりも大きいかもしくは等しくされている、請求項１〜４のいずれか１項に記載の採血ホルダー。
【請求項６】
前記第２の突部の前記針接合部側に前記針接合部側に向かって径が大きくなる傾斜面が形成されている、請求項１〜５のいずれか１項に記載の採血ホルダー。
【発明の詳細な説明】
【技術分野】
【０００１】
本発明は、真空採血等において、一端に採血針が接続され、かつ採血針が接続されている側とは反対側の開口から採血管が挿入される採血ホルダーに関し、より詳細には、フィルム栓が開口に取り付けられた採血管及びゴム栓が開口に圧入された採血管のいずれも用いることが可能な採血ホルダーに関する。
【背景技術】
【０００２】
従来、真空採血においては、作業を容易とするために採血ホルダーが広く用いられている。採血ホルダーは、略円筒状の形状を有し、一端に採血針が接続され、他端の開口から真空採血管を挿入し得るように構成されている。真空採血管としては、例えば一端に開口を有する管状容器の開口に、ゴム栓が圧入されたゴム栓タイプの真空採血管や、アルミニウム等からなるフィルム栓が取り付けられたフィルム栓タイプの真空採血管が広く用いられている。
【０００３】
上記ゴム栓タイプの真空採血管に採血を行なう場合、採血ホルダーに採血針を接続し、採血針の一端を血管に穿刺する。次に、採血ホルダー内に真空採血管を挿入し、真空採血管のゴム栓に、採血針の他端、すなわち採血ホルダー内に延びている中空針を刺通する。これによって、血管と真空採血管とが連結され、血液が減圧下にある真空採血管内に流入する。
【０００４】
ところで、真空採血針は、血管に穿刺される側とは反対側の中空針の針先、すなわち真空採血管に刺通される側の針先が、ゴムスリーブにより覆われている。従って、真空採血管のゴム栓にゴムスリーブで覆われている側の針先を刺通させる際、針先によりゴムスリーブが破られた後に、針先がゴム栓に刺通されることになる。この場合、真空採血管を採血ホルダーに挿入し、進行させるにつれ、すなわち、上記針先がゴム栓を刺通し、真空採血管内に深く進入してくるに従って、ゴムスリーブは、移動してきた真空採血管のゴム栓の天面により圧縮されることになる。そのため、ゴム栓を刺通している中空針とゴム栓との摩擦力が、上記ゴムスリーブの弾性反発力よりも大きい場合には、中空針がゴム栓を刺通した状態は確実に保持される。しかしながら、ゴムスリーブの弾性反発力の方が大きい場合には、該反発力により、中空針がゴム栓から抜ける、いわゆるキックバック現象が生じ、それによって真空採血管への血液流入が停止するという問題があった。
【０００５】
このようなキックバック現象の発生を防止するために、種々の試みがなされている。
【０００６】
例えば、下記の特許文献１には、一端に採血針を接続するための針接合部を有し、他端が開口しているホルダー本体の内壁面に弾発性を有する凸部が設けられた採血管ホルダーが開示されている。特許文献１では、ホルダー本体内に採血管を挿入した際、採血管に当接すると共に僅かに変形するように凸部の頂点が形成されており、変形により生ずる凸部の反発力を採血管に与えるように採血管ホルダーが構成されている。
【０００７】
一方、下記の特許文献２には、採血筒と、減圧採血管と、採血筒及び減圧採血管の間に介装されるアダプターとからなる採血器具が開示されている。特許文献２では、アダプターが用いられ、該アダプターが採血筒内に嵌着される筒状の基部側本体と、本体先端部から軸心方向前方に突設され且つ減圧採血管の挿入時に栓体を取り囲む複数の先端部側可撓部とを有する。可撓部は、弾性変形する基部傾斜部と、栓体を保持する先端部側保持部とを有する。特許文献２では、アダプターの基部傾斜部が弾性変形することにより、先端部側保持部に栓体が保持される。
【０００８】
他方、下記の非特許文献１には、プラスチック製で横断面形状が多角形の筒状であるホルダー本体を有する採血管ホルダーが開示されている。非特許文献１では、ホルダー本体内に採血管を挿入したとき、採血管の封止部がホルダー内壁に当接し、ホルダー内壁が僅かに拡張するように構成されている。
【特許文献１】特開平０１−２９１８３０号公報
【特許文献２】特開平０６−０３８９４４号公報
【非特許文献１】登録実用新案公報第３００６０７５号
【発明の開示】
【発明が解決しようとする課題】
【０００９】
特許文献１、２では、ホルダー本体により、キックバック現象の発生を防止することが可能とされている。他方、特許文献２では、採血筒の他に別部材としてのアダプターを用いることよって、キックバック現象の発生を防止することが可能とされている。
【００１０】
ところで、ゴム栓タイプの真空採血管だけでなく、フィルム栓タイプの真空採血管も広く用いられている。このようなフィルム栓タイプの真空採血管を用いる場合に、ゴムスリーブの弾性反発力の方が大きいと、上記キックバック現象の発生が防がれていたとしても、ゴムスリームの弾性反発力によりフィルム栓が破断することがあった。それによって真空採血管に血液を流入できなくなったり、真空採血管内の血液が外部に漏洩することがあった。血液が漏洩すると、医療従事者が血液に触れて、病原体に感染等するおそれがある。よって、ゴムスリーブの弾性反発力がフィルム栓に強く作用しないように、フィルム栓タイプの真空採血管を採血ホルダー内に一定距離以上押し込めない構造を有する採血ホルダーが強く求められていた。
【００１１】
一方、ゴム栓タイプの真空採血管では、中空針が挿入される部分のゴム栓の厚みは、上記フィルム栓の厚みよりも相対的に厚い。よって、上記フィルム栓のように、ゴムスリーブの弾性反発力によってゴム栓が破断するおそれはない。しかしながら、上記フィルム栓の破断を防止するために、採血ホルダー内に真空採血管を一定距離以上押し込めないように採血ホルダーを構成した場合、真空採血管を挿入した後に、中空針の先端がゴム栓を貫通せずに、中空針の先端がゴム栓の内部に位置することがあった。この場合、真空採血管に血液を採取することはできない。よって、ゴム栓タイプの真空採血管を用いる場合には、中空針の先端が真空採血管内に至るように、採血ホルダーの天面近傍まで真空採血管を挿入し得るように採血ホルダーが構成されている必要がある。
【００１２】
上記特許文献１、２及び非特許文献１の採血ホルダーでは、フィルム栓タイプの真空採血管を挿入した場合と、ゴム栓タイプの真空採血管を挿入した場合とでは、フィルム栓とゴム栓との固定される位置がほぼ同じ位置であった。すなわち、特許文献１、２及び非特許文献１の採血ホルダーでは、真空採血管を挿入した後に、フィルム栓が破断したり、中空針が真空採血管内に至らないことがあった。よって、特許文献１、２及び非特許文献１の採血ホルダーは、フィルム栓タイプの真空採血管と、ゴム栓タイプの真空採血管との双方に適用し得るものではなかった。また、特許文献２では、別部材としてのアダプターを用いているため、部品点数が多く、製造コストが高くつくという問題もあった。
【００１３】
本発明の目的は、上述した従来技術の現状に鑑み、フィルム栓が開口に取り付けられた採血管とゴム栓が開口に圧入された採血管との双方に適用でき、部品点数の増大を招くことなく、ゴムスリーブの弾性反発力によるキックバック現象およびフィルム栓の破断を生じることなく、採血管に採血を行うことを可能とする採血ホルダーを提供することにある。
【課題を解決するための手段】
【００１４】
本発明は、一端に採血針を接続するための針接合部を有し、他端に採血管を挿入可能な開口を有する筒状本体を備える採血ホルダーであって、筒状本体の内周面に第１、第２の突部が間隔を隔てて形成されており、第１の突部が第２の突部よりも針接合部側に位置しており、第１の突部の開口側に筒状本体の内周面に対して略直交する方向に突出した係止面が形成されており、第２の突部の開口側に開口側に向かって径が大きくなる傾斜面が形成されており、筒状本体内に採血管が挿入され、かつ第１の突部および／又は第２の突部に採血管が接触されたときに、第１の突部および／又は第２の突部が筒状本体の周方向内側に向かう反発力を有しつつ筒状本体の周方向外側に拡がるように、筒状本体が構成されていることを特徴とする。
【００１５】
本発明に係る採血ホルダーのある特定の局面では、筒状本体の少なくとも一部が弾性材料を用いて構成されており、それによって第１の突部および／又は第２の突部が筒状本体の周方向内側に向かう弾性反発力を有しつつ筒状本体の周方向外側に拡がるように、筒状本体が構成されている。
【００１６】
本発明に係る採血ホルダーの他の特定の局面では、第１の突部の係止面と第２の突部の先端との間隔が１．５〜６．０ｍｍの範囲にある。
【００１７】
本発明に係る採血ホルダーのさらに他の特定の局面では、筒状本体内に採血管が挿入され、かつ第１の突部および／又は第２の突部に採血管が接触されたときに、第１、第２の突部が協同して筒状本体の周方向外側に拡がるように、筒状本体が構成されている。
【００１８】
本発明に係る採血ホルダーの別の特定の局面では、第１の突部の先端の内周径は、第２の突部の先端の内周径よりも大きいかもしくは等しくされている。
【００１９】
本発明に係る採血ホルダーのさらに別の特定の局面では、第２の突部の針接合部側に針接合部側に向かって径が大きくなる傾斜面が形成されている。
【発明の効果】
【００２０】
本発明に係る採血ホルダーでは、特定の形状を有する第１、第２の突部が筒状本体の内周面に形成されており、筒状本体内に採血管が挿入され、かつ第１の突部および／又は第２の突部に採血管が接触されたときに、第１の突部および／又は第２の突部が筒状本体の周方向内側に向かう反発力を有しつつ筒状本体の周方向外側に拡がるように、筒状本体が構成されているので、フィルム栓が開口に取り付けられたフィルム栓タイプの採血管及びゴム栓が開口に圧入されたゴム栓タイプの採血管をそれぞれ挿入した場合に、フィルム栓とゴム栓とを異なる位置に固定することができる。
【００２１】
フィルム栓タイプの採血管を用いた場合には、フィルム栓を採血ホルダーに挿入する際、フィルム栓が第２の突部を押し広げて乗り越える。この状態では第１、第２の突部は連設されているのでともに筒状本体の周方向外側に押し拡げられる。フィルム栓が第２の突部を乗り越えるとその弾性力により第１、第２の突部が筒状本体の周方向内側に収縮する。第１の突部は開口側に筒状本体の内周面に対して略直交する方向に突出した係止面を有するので、係止面を越えてフィルム栓を押し込むことができない。すなわち突部の弾性力で第１、第２の突部の間にフィルム栓が固定され、採血ホルダー内の奥まで採血管が挿入されないので、ゴムスリーブが必要以上に圧縮されることがない。よって、ゴムスリーブの弾性反発力によるキックバック現象の発生を抑制することができ、かつフィルム栓の破断を防止することもできる。
【００２２】
他方、ゴム栓タイプの採血管を用いた場合には、まずゴム栓が第２の突部を周方向外側に押し広げる。前述と同様この時に第２の突部と連設された第１の突部も筒状本体の周方向外側に押し広げられる。ゴム栓はフィルム栓より厚みが厚いのでゴム栓が第２の突部を乗り越えたとき、既にゴム栓の上面は第１の突部の係止面も通過した状態にある。よって、ゴム栓が第１の突部を超えて、採血ホルダー内の奥まで採血管を挿入し得るので、ゴム栓の厚みが厚くても、採血針の針先がゴム栓を貫通し、針先を採血管内に位置させることができる。また、筒状本体の周方向内側に向かう第１、第２の突部の反発力により、ゴム栓が筒状本体に強固に保持されるので、キックバック現象の発生を抑制することもできる。
【００２３】
筒状本体の少なくとも一部が弾性材料を用いて構成されており、それによって第１の突部および／又は第２の突部が筒状本体の周方向内側に向かう弾性反発力を有しつつ筒状本体の周方向外側に拡がるように、筒状本体が構成されている場合には、筒状本体の周方向内側に向かう第１、第２の突部の弾性反発力により、ゴム栓が強固に筒状本体に保持されるので、キックバック現象の発生をより一層抑制することができる。
【００２４】
フィルム栓の栓体部分の厚みは約２ｍｍであり、ゴム栓の厚みは約５〜７ｍｍであるので第１の突部の係止面と第２の突部の先端との間隔が１．５〜６．０ｍｍの範囲にある場合には、一般的なフィルム栓タイプの真空採血管のフィルム栓を第１の突部と第２の突部との間に固定することができるが、一般的なゴム栓タイプの真空採血管のゴム栓は第１の突部と第２の突部との間に固定されない採血ホルダーとすることができる。
【００２５】
筒状本体内に採血管が挿入され、かつ第１の突部および／又は第２の突部に採血管が接触されたときに、第１、第２の突部が協同して筒状本体の周方向外側に拡がるように、筒状本体が構成されている場合には、ゴム栓タイプの採血管を挿入する際に、ゴム栓が係止面に係止されることを確実に防ぐことができる。
【００２６】
第１の突部の先端の内周径が、第２の突部の先端の内周径よりも大きいかもしくは等しくされている場合には、ゴム栓タイプの採血管を挿入する際に、ゴム栓が第１の突部の係止面に係止されることを確実に防ぐことができる。
【００２７】
第２の突部の針接合部側に針接合部側に向かって径が大きくなる傾斜面が形成されている場合には、採血後に採血管を採血ホルダーから容易にかつ確実に引き抜くことができる。
【発明を実施するための最良の形態】
【００２８】
以下、図面を参照しつつ本発明の具体的な実施形態を説明することにより、本発明を明らかにする。
【００２９】
図１に、本発明の一実施形態に係る採血ホルダーの縦断面図で示す。図２に、本発明の一実施形態に係る採血ホルダー及び該採血ホルダーに用いることが可能な複数の採血管を斜視図で示す。
【００３０】
図１、２に示すように採血ホルダー１は、略円筒形状を有する筒状本体２を備えている。筒状本体２は、一端２ａに採血針を接続するための針接合部３を有し、一端２ａとは反対側の他端２ｂに採血管を挿入可能な開口４を有する。針接合部３は、筒状本体２の天面２ｃの中央に形成されている。
【００３１】
筒状本体２の内周面には、第１の突部５及び第２の突部６が形成されている。第１の突部５と第２の突部６とは、間隔を隔てて形成されている。第１の突部５は、第２の突部６よりも針接合部３側に位置している。本実施形態では、第１の突部５及び第２の突部６は、ともに環状突部とされている。
【００３２】
第１の突部５の先端５ａの内周径は、第２の突部６の先端６ａの内周径よりもわずかに小さくされている。ゴム栓やカバーが取り付けられた採血管を第１の突部５を超えて確実に挿入することができるので、第１の突部５の先端５ａの内周径は、第２の突部６の先端６ｂの内周径よりも大きいかもしくは等しくされていることが好ましい。先端５ａの内周径は、先端６ａの内周径よりも大きくされていることがより好ましい。
【００３３】
第１の突部５の開口４側に、筒状本体２の内周面に対して略直交する方向に突出した係止面５ｂが形成されている。第１の突部５の針接合部３側には、針接合部３側に向かって径が大きくなる傾斜面が形成されている。採血後に採血管を筒状本体外に確実に引き抜くことができるので、第１の突部５の針接合部３側には、針接合部３側に向かって径が大きくなる傾斜面が形成されていることが好ましい。
【００３４】
第１の突部５の係止面５ｂと第２の突部６の先端６ａとの間隔は１．５〜６．０ｍｍの範囲にあることが好ましく、より好ましくは１．５〜５．０ｍｍの範囲である。間隔がこの範囲にあると、後に詳述するように、一般的なフィルム栓タイプの真空採血管のフィルム栓を第１の突部５と第２の突部６との間に固定することができるが、一般的なゴム栓タイプの真空採血管のゴム栓は第１の突部５と第２の突部６との間に固定されない採血ホルダーとすることができる。
【００３５】
他方、第２の突部６の開口４側には、開口４側に向かって径が大きくなる傾斜面６ｂが形成されている。第２の突部６の針接合部３側には、針接合部３側に向かって径が大きくなる傾斜面が形成されている。採血後に採血管を採血ホルダーから確実に引き抜くことができるので、第２の突部６の針接合部３側には、針接合部３側に向かって径が大きくなる傾斜面が形成されていることが好ましい。
【００３６】
針接合部３は、筒状本体２の天面２ｃの中央から筒状本体２の軸方向外側に突出している相対的に径の小さな円筒状の形状を有する。針接合部３は、真空採血針の基部を挿入するための開口３ａを有する。開口３ａの内径は、後述する真空採血針のハブの基部の外径とほぼ同等とされている。なお、針接合部の構造については、特に限定されず、従来公知の構造を採用することができる。
【００３７】
採血ホルダー１は、後に詳述するが、筒状本体の一部が変形し得るように構成されていれば特に限定されず、例えば合成樹脂などの弾性材料を用いて構成される。合成樹脂については特に限定されず、ポリプロピレン、ポリエチレンなどを用いることができる。筒状本体の変形が可能であるため、筒状本体の少なくとも一部が上記合成樹脂等からなる弾性材料を用いて構成されていることが好ましい。また、採血ホルダーが比較的硬質の樹脂からなる場合には、筒状本体の変形が可能となるように、変形させる部分の肉厚を薄くすることが望ましい。
【００３８】
また、採血ホルダー１は、不透明であると血液が採血管に流入しているかどうかわからないので、透明もしくは半透明であることが望ましい。採血ホルダーは、好ましくは、透明性を有する合成樹脂により構成されている。透明性を有する場合、内部における採血進行状態を外部から目視により容易に確認することができ、好ましい。
【００３９】
採血ホルダー１を用いて真空採血を行なうには、先ず、図１に示すように、真空採血針１１を矢印Ｘで示す方向に移動させて、採血ホルダー１の針接合部３に真空採血針１１を接続する。
【００４０】
真空採血針１１は、図１に示すように、第１、第２の中空針１２、１３を有する。第１の中空針１２及び第２の中空針１３は、針先が長さ方向反対側に位置しており、それぞれの基部が、中空流路を有するハブ１４の中空流路に連ねられるように、ハブ１４に取り付けられている。第２の中空針１３は、当初は、ゴムスリーブ１５により被覆されている。ハブ１４は、採血ホルダー１の針接合部３に圧入される基部１４ａを有する。この真空採血針１１を、第２の中空針１３側から採血ホルダー１の針接合部３に挿入していき、基部１４ａを開口３ａに挿入することにより、真空採血針１１を、採血ホルダー１に固定する。なお、真空採血針１１と採血ホルダー１の針接合部３との固定は、圧入によらず、ねじ止め等により行なわれてもよい。すなわち、採血ホルダー１の針接合部３は、採血針に応じて、ねじ止め可能に雌ねじが設けられていてもよい。
【００４１】
真空採血に際しては、真空採血針１１を採血ホルダー１に接続し、固定した後、第１の中空針１２の針先を血管に挿入する。その状態で、採血ホルダー１の開口４から真空採血管を採血ホルダー１に挿入する。
【００４２】
図２には、上記採血ホルダー１とともに、複数の採血管が斜視図で示されている。採血ホルダー１では、図２に示すような構造の異なる栓体がそれぞれ取り付けられた様々な採血管を用いることができる。なお、図２に示す採血管は内部が減圧されており、真空採血管として用いることができる。
【００４３】
図２に示す真空採血管２１を採血ホルダー１内に挿入していく過程を図３（ａ）〜（ｃ）に段階的に部分切欠縦断面図で示す。
【００４４】
図２及び図３（ａ）〜（ｃ）に示すように、真空採血管２１は、管状容器２２と、管状容器２２の開口２２ａに気密的に取り付けられたフィルム栓２３とを有する。
【００４５】
上記フィルム栓２３は、特に限定されないが、例えばアルミニウム等の材料により形成される。
【００４６】
上記フィルム栓２３の外周径は、管状容器２２の外周径よりもわずかに大きくされている。筒状本体２の内周径は、フィルム栓２３の外周径よりもわずかに大きくされている。変形前の第１の突部５の先端５ａの内周径及び変形前の第２の突部６の先端６ａの内周径は、フィルム栓２３の外周径よりも小さくされている。第１の突部５の係止面５ｂと第２の突部６の先端６ａとの間隔は、フィルム栓２３の厚みよりも大きくされている。
【００４７】
図３（ａ）に示すように、開口４から筒状本体２内に、真空採血管２１をフィルム栓２３側から挿入する。真空採血管２１を筒状本体２内に挿入していくと、第２の中空針１３がフィルム栓２３を刺通する。
【００４８】
ところで、真空採血針１１は、上述したように、ゴムスリーブ１５を有する。このゴムスリーブ１５は、真空採血管２１を挿入する際に、第２の中空針１３の針先で破られ、真空採血管２１を筒状本体２内に挿入していくに従って、図３（ａ）に示すように、圧縮されることになる。
【００４９】
一方、真空採血管２１を採血ホルダー１内に挿入していくと、フィルム栓２３は第２の突部６に至る。変形前の第２の突部６の先端６ａの内周径は、フィルム栓２３の外周径よりも小さくされている。よって、図３（ｂ）に示すように、第２の突部６にフィルム栓２３が接触され、その際、第２の突部６が筒状本体２の周方向内側に向かう反発力を有しつつ筒状本体２の周方向外側に拡がるように変形する。第２の突部６の開口４側には開口４側に向かって径が大きくなる傾斜面６ｂが形成されているので、真空採血管２１を筒状本体２内に挿入していくに従って、第２の突部６が周方向外側に次第に拡がるように変形する。
【００５０】
なお、採血ホルダー１では、第１、第２の突部５、６が、協同して筒状本体２の周方向外側に拡がるように筒状本体２が構成されている。具体的には、第２の突部６が拡がる際には、第１の突部５と、第１の突部５近傍及び第２の突部６近傍と、第２の突部６とが協同して拡がるように筒状本体２が構成されている。すなわち、第１の突部５よりも針接合部３側と第２の突部６よりも開口４側において筒状本体２が湾曲し、それによって第１、第２の突部５、６が協同して筒状本体２の周方向外側に拡がるように筒状本体２が構成されている。このように、筒状本体内に採血管が挿入され、かつ第１の突部および／又は第２の突部に採血管が接触されたときに、第１、第２の突部が協同して筒状本体の周方向外側に拡がるように、筒状本体が構成されていることが好ましい。
【００５１】
図３（ｃ）に示すように、フィルム栓２３が、第２の突部６の先端６ａを超えて筒状本体２内に挿入されると、第１、第２の突部５、６が協同して筒状本体２の周方向内側に狭まるように変形する。すなわち、第２の突部６の針接合部３側には針接合部３側に向かって径が大きくなる傾斜面が形成されており、かつ拡げられた部分の筒状本体２が周方向内側に向かって反発力を有するので、第１、第２の突部５、６が筒状本体２の周方向内側に次第に狭まるように変形する。
【００５２】
採血ホルダー１では、変形前の第１の突部５の先端５ａの内周径がフィルム栓２３の外周径よりも小さくされている。さらに、第１の突部５の係止面５ｂと第２の突部６の先端６ａとの間隔が、フィルム栓２３の厚みよりも大きくされている。よって、第１の突部５の先端５ａの内周径がフィルム栓２３の外周径よりも小さくなるように筒状本体２が変形して、フィルム栓２３の上面２３ａが第１の突部５の係止面５ｂにより係止される。そして、フィルム栓２３は、第１、第２の突部５、６間に固定される。
【００５３】
よって、採血ホルダー１では、筒状本体２の天面２ｃの内面から所定間隔を隔てられた位置でフィルム栓２３が固定される。従って、ゴムスリーブ１５が、天面２ｃの内面もしくは真空採血針１１の基部１４ａの下面と、フィルム栓２３の上面２３ａとの間で非常に圧縮されることがない。
【００５４】
ゴムスリーブ１５が非常に圧縮されると、その弾性反発力により上述したキックバック現象が生じ易くなり、厚みの薄いフィルム栓２３が破断し易くなる。しかしながら、本実施形態の採血ホルダー１を用いると、フィルム栓２３が第１、第２の突部５、６間に固定され、かつ筒状本体２の周方向内側に向かう第１、第２の突部５、６の弾性反発力によりフィルム栓２３が強固に保持されるので、キックバック現象の発生を抑制することができ、フィルム栓２３の破断を防止することもできる。
【００５５】
また、図３（ｃ）に示すように、フィルム栓２３が第１、第２の突部５、６間に固定された状態では、第２の中空針１３の針先が真空採血管２１内に位置している。その結果、真空採血針１１により、血管と、真空採血管２１とが連通され、真空採血管２１内が減圧されているので、血液が真空採血管２１内に導かれ、採血を行なうことができる。
【００５６】
採血後には、第２の突部６の針接合部３側に、針接合部３側に向かって径が大きくなる傾斜面が形成されているので、真空採血管２１を採血ホルダー１から確実に引き抜くことができる。
【００５７】
次に、図２に示す真空採血管２５を採血ホルダー１内に挿入していく過程を図４（ａ）〜（ｃ）に段階的に部分切欠縦断面図で示す。
【００５８】
図２及び図４（ａ）〜（ｃ）に示す真空採血管２５は、管状容器２２と、管状容器２２の開口２２ａに圧入されたゴム栓２６とを有する。すなわち、栓体の構造が異なることを除いては、真空採血管２５は、上述した真空採血管２１と同様に構成されている。
【００５９】
上記ゴム栓２６は、大径部２６ａと、大径部２６ａよりも径が小さな小径部２６ｂとを有する。大径部２６ａは円錐台形状を有する。第２の中空針１３を容易に刺通し得るように、ゴム栓２６の上面２６ｃの中央には、半球形状の凹部２６ｄが設けられている。小径部２６ｂが管状容器２２の開口２２ａに圧入されており、ゴム栓２６により管状容器２２が気密封止されている。ゴム栓２６の小径部２６ｂは、管状容器２２内に位置している。
【００６０】
管状容器２２の外周径は、ゴム栓２６の大径部２６ａの下端の外周径よりもわずかに小さくされている。筒状本体２の内周径は、大径部２６ａの下端の外周径よりもわずかに大きくされている。変形前の第１の突部５の先端５ａの内周径及び変形前の第２の突部６の先端６ａの内周径は、ゴム栓２６の大径部２６ａの下端の外周径よりも小さくされている。第１の突部５の係止面５ｂと第２の突部６の先端６ａとの間隔は、ゴム栓２６の厚み（ゴム栓２６の大径部２６ａの上面２６ｃと小径部２６ｂの下面との間隔）よりも大きくされている。
【００６１】
ゴム栓２６は、特に限定されないが、例えば合成ゴム、天然ゴムまたはエラストマーなどの弾性材料により形成される。
【００６２】
図４（ａ）に示すように、開口４から筒状本体２内に、真空採血管２５をゴム栓２６側から挿入する。真空採血管２５を採血ホルダー１内に挿入していくと、第２の中空針１３がゴム栓２６を刺通する。ゴムスリーブ１５は、真空採血管２５を挿入する際に、第２の中空針１３の針先で破られ、真空採血管２５を筒状本体２内に挿入していくに従って圧縮される。
【００６３】
一方、真空採血管２５を採血ホルダー１内に挿入していくと、ゴム栓２６は第２の突部６に至る。変形前の第２の突部６の先端６ａの内周径は、ゴム栓２６の大径部２６ａの下端の外周径よりも小さくされている。よって、図４（ｂ）に示すように、第２の突部６にゴム栓２６の大径部２６ａが接触され、その際、第１、第２の突部５、６が協同して、筒状本体２の周方向内側に向かう弾性反発力を有しつつ筒状本体２の周方向外側に拡がるように変形する。
【００６４】
図４（ｃ）に示すように、ゴム栓２６が、第２の突部６の先端６ａを超えて筒状本体２内に挿入されると、第１、第２の突部５、６が筒状本体２の周方向内側に狭まるように変形する。第１の突部５の係止面５ｂと第２の突部６の先端６ａとの間隔が、ゴム栓２６の大径部２６ａの厚みよりも小さくされているので、ゴム栓２６の上面２６ｃは、第１の突部５の係止面５ｂにより係止されない。すなわち、上記フィルム栓２３と異なり、ゴム栓２６は第１、第２の突部５、６間に固定されず、ゴム栓２６は第１の突部５を超えて筒状本体２内に挿入される。
【００６５】
採血ホルダー１では、変形前の第１の突部５の先端５ａの内周径が、第２の突部６の先端６ｂの内周径よりも大きいかもしくは等しくされているので、ゴム栓２６の大径部２６ａが、第１の突部５の係止面５ｂにより係止されることが確実に防がれている。さらに、第１、第２の突部５、６が協同して筒状本体２の周方向外側に拡がるように、筒状本体２が構成されていることによっても、大径部２６ａが係止面５ｂに係止されることが確実に防がれている。
【００６６】
採血ホルダー１では、ゴム栓２６の上面２６ｃが、筒状本体２の天面２ｃの内面近傍に至るまでもしくは接するまで、筒状本体２内に真空採血管２５を挿入することができる。この場合、ゴムスリーブ１５が、天面２ｃの内面もしくは真空採血針１１の基部１４ａの下面と、ゴム栓２６の上面２６ａとの間で非常に圧縮される。よって、ゴムスリーブ１５の弾性反発力がゴム栓２６の上面２６ｃに強く作用する。しかしながら、本実施形態の採血ホルダー１では、筒状本体２の周方向内側に向かう第１、第２の突部５、６の弾性反発力によりゴム栓２６が筒状本体２に強固に保持されるので、キックバック現象の発生を抑制することができる。
【００６７】
また、ゴム栓２６の上面２６ｃの中央には、半球形状の凹部２６ｄが設けられているので、該凹部２６ｄによってゴムスリーブ１５の圧縮が抑制されている。このように、キックバック現象の発生を抑制することができるので、採血管の開口に圧入される栓体の上面には、凹部が設けられていることが好ましい。
【００６８】
ところで、真空採血管２５のようなゴム栓が開口に圧入された構造を有するゴム栓タイプの採血管では、一般的に採血針が挿入される部分のゴム栓の厚み（栓体２６のように上面に凹部２６ｄが設けられたゴム栓では、ゴム栓の上面と下面との間隔）は、上述したフィルム栓の厚みよりも相対的に厚い。よって、仮に図４（ｂ）に示す位置、すなわちゴム栓２６の上面２６ｃが第１の突部５の係止面５ｂで係止されるとすると、ゴム栓２６の厚みが相対的に厚いので、第２の中空針１３の針先が真空採血管２５内に至らず、ゴム栓２６内に位置することがある。この場合、血液を真空採血管２５内に導くことはできない。
【００６９】
これに対して、本実施形態の採血ホルダー１では、ゴム栓２６が第１の突部５の係止面５ｂにより係止されず、ゴム栓２６の上面２６ｃが第１の突部５を超えるように真空採血管２５を筒状本体２内に挿入することができる。よって、図４（ｃ）に示すように、第２の中空針１３の針先を真空採血管２５内に確実に位置させることができる。その結果、真空採血針１１により、血管と真空採血管２５とが連通され、採血を行なうことができる。
【００７０】
本願発明者によれば、例えば筒状本体２の天面２ｃの内面から突出した第２の中空針１３の長さが１５ｍｍである場合に、上記真空採血管２１のような例えばフィルム栓タイプの採血管を用いる際に、フィルム栓の破断を防止するためには、天面２ｃの内面からフィルム栓の上面が５〜８ｍｍ離れた位置にあるように、フィルム栓を固定すればよいことがわかった。
【００７１】
しかしながら、上記フィルム栓の破断を防止するために、採血ホルダー内に採血管を一定距離以上押し込めないように採血ホルダーを構成した場合、ゴム栓タイプの真空採血管を挿入すると、中空針の先端がゴム栓を貫通せずに、中空針の先端がゴム栓の内部に位置することがあった。具体的には、一般的なゴム栓の厚みは例えば５〜７ｍｍ程度ある。この厚み５〜７ｍｍのゴム栓が用いられた場合に、筒状本体２内に突出した第２の中空針１３の長さが１５ｍｍ程度であり、かつ天面２ｃの内面からゴム栓の上面が５〜８ｍｍ離れた位置にあるようにゴム栓が固定されると、第２の中空針１３の先端が真空採血管の内部に至らない。
【００７２】
本発明の特徴は、上記特定の構造を有する第１、第２の突部が採血ホルダーの筒状本体の内周面に形成されており、かつ上述のように筒状本体の一部が変形し得るので、厚みの異なるフィルム栓とゴム栓とを異なる位置に固定し得ることにある。それによって、余計な部材を必要とすることなく、キックバック現象の発生を抑制することができ、かつフィルム栓の破断を防止することもできる。さらに、ゴム栓タイプの採血管を用いた場合にも、採血針の針先を採血管内に位置させることができる。
【００７３】
次に、図２に示す真空採血管３１を採血ホルダー１内に挿入していく過程を図５（ａ）〜（ｃ）に段階的に部分切欠縦断面図で示す。
【００７４】
図２及び図５（ａ）〜（ｃ）に示す真空採血管３１は、管状容器２２と、管状容器２２の開口２２ａに取り付けられた栓体３２と、栓体３２を覆っているカバー３３とを有する。
【００７５】
栓体３２は、大径部３２ａと、大径部３２ａよりも径が小さな小径部３２ｂとを有する。大径部３２ａは円柱形状を有し、大径部３２ａの外周径は、管状容器２２の外周径よりもわずかに小さく、かつ管状容器２２の内周径よりもわずかに大きくされている。小径部３２ｂが管状容器２２の開口２２ａに圧入されており、栓体３２により管状容器２２が気密封止されている。栓体３２の小径部３２ｂは、管状容器２２内に位置している。栓体３２は、ゴム栓２６と同様の材料により構成され得る。
【００７６】
カバー３３は、栓体３２の大径部３２ａを覆っており、その下端３３ａは、管状容器２２の開口２２ａよりも下方に位置している。カバー３３は、中空針により刺通可能な材料を用いて形成されている。栓体３２と管状容器２２との嵌合部分、すなわち栓体３２の大径部３２ａと小径部３２ｂとの段差部分の外側の位置において、カバー３３の外周側面には、カバー３３の上面に向かって径が小さくなる傾斜面３３ｂが形成されている。傾斜面３３ｂにより、傾斜面３３ｂよりも上方のカバー３３の外周径が、傾斜面３３ｂよりも下方のカバー３３の外周径よりもわずかに小さくなるようにカバー３３が構成されている。
【００７７】
筒状本体２の内周径は、カバー３３の下端３３ａの外周径よりもわずかに大きくされている。変形前の第１の突部５の先端５ａの内周径及び変形前の第２の突部６の先端６ａの内周径は、カバー３３の下端３３ａの外周径よりも小さくされている。第１の突部５の係止面５ｂと第２の突部６の先端６ａとの間隔は、カバー３３の上面３３ｃから下端３３ａまでの間隔よりも小さくされている。
【００７８】
図５（ａ）に示すように、筒状本体２の開口４から筒状本体２内に、真空採血管３１をカバー３３側から挿入する。真空採血管３１を筒状本体２内に挿入していくと、第２の中空針１３がカバー３３及び栓体３２を刺通する。図５（ｂ）に示すように、真空採血管３１が筒状本体２内にさらに挿入されていくと、カバー３３が第２の突部６に接触され、その際、第１、第２の突部５、６が協同して、筒状本体２の周方向内側に向かう弾性反発力を有しつつ筒状本体２の周方向外側に拡がるように変形する。
【００７９】
採血ホルダー１では、図５（ｂ）に示す位置よりもさらに奥に真空採血管３１を筒状本体２内に挿入することができる。すなわち、図５（ｃ）に示すように、真空採血管３１を用いた場合と同様に、第１の突部５を超えてカバー３３を筒状本体２内に挿入することができる。カバー３３の上面３３ｃが、筒状本体２の天面２ｃの内面近傍に至るまでもしくは接するまで、真空採血管３１を筒状本体２内に挿入することができる。
【００８０】
図５（ｃ）に示す状態では、ゴムスリーブ１５が、天面２ｃの内面もしくは真空採血針１１の基部１４ａの下面と、栓体カバー３３の上面３３ｃとの間で非常に圧縮されている。しかしながら、本実施形態の採血ホルダー１では、筒状本体の周方向内側に向かう第１、第２の突部５、６の弾性反発力により、カバー３３が筒状本体２に強固に保持されるので、キックバック現象の発生を抑制することができる。また、図５（ｃ）に示すように、真空採血管３１が保持された状態において、第２の中空針１３の針先は真空採血管３１内に位置している。
【００８１】
さらに、図２に示す真空採血管３５を採血ホルダー１内に挿入していく過程を図６（ａ）〜（ｃ）に段階的に部分切欠縦断面図で示す。
【００８２】
図２及び図６（ａ）〜（ｃ）に示す真空採血管３５は、管状容器２２と、開口２２ａに取り付けられた栓体３２と、栓体３２を覆っているカバー３６とを有する。すなわち、カバーの構造が異なることを除いては、真空採血管３５は、上述した真空採血管３１と同様に構成されている。
【００８３】
カバー３６は、栓体３２の大径部３２ａを覆っており、その下端３６ａは、管状容器２２の開口２２ａよりも下方に位置している。カバー３６は、中空針により刺通可能な材料を用いて形成されている。栓体３２と管状容器２２との嵌合部分、すなわちすなわち栓体３２の大径部３２ａと小径部３２ｂとの段差部分よりも上方の位置において、カバー３６の外周側面には段差３６ｂが形成されている。段差３６ｂにより、段差３６ｂよりも上方のカバー３３の外周径が、段差３６ｂよりも下方のカバー３３の外周径よりもわずかに小さくなるようにカバー３６が構成されている。
【００８４】
筒状本体２の内周径は、カバー３６の下端３６ａの外周径よりもわずかに大きくされている。変形前の第１の突部５の先端５ａの内周径及び変形前の第２の突部６の先端６ａの内周径は、カバー３６の下端３６ａの外周径よりも小さくされている。第１の突部５の係止面５ｂと第２の突部６の先端６ａとの間隔は、カバー３６の上面３６ｃから下端３６ａまでの間隔よりも小さくされている。
【００８５】
図５（ａ）〜（ｃ）に示すように、カバー３６の上面３６ｃが、筒状本体２の天面２ｃの内面近傍までもしくは接するまで、真空採血管３５を筒状本体２内に挿入することができる。よって、真空採血管３５を用いた場合でも、上記真空採血管３１を用いた場合と同様に、筒状本体２の周方向内側に向かう第１、第２の突部５、６の弾性反発力により、カバー３６が筒状本体２に強固に保持されるので、キックバック現象の発生を抑制することができる。また、図５（ｃ）に示すように、真空採血管３５が保持された状態において、第２の中空針１３の針先を真空採血管３５内に位置させることができる。
【００８６】
図７（ａ）〜（ｄ）に、本発明の他の実施形態に係る採血ホルダーを示す。図７（ａ）は縦断面図、図７（ｂ）は正面図、図７（ｃ）は図７（ａ）に示すＡ−Ａ´部分における横断面図、図７（ｄ）は図７（ａ）に示すＢ−Ｂ´部分における横断面図である。
【００８７】
図７（ａ）〜（ｄ）に示す採血ホルダー５１は、上述した採血ホルダー１と、筒状本体の第１、第２の突部形成部分の構成が異ならされている。
【００８８】
採血ホルダー５１は、筒状本体２と同様の略円筒形状を有する筒状本体５２を備えている。筒状本体５２は、一端５２ａに採血針を接続するための針接合部５３を有し、一端５２ａとは反対側の他端５２ｂに採血管を挿入可能な開口５４を有する。
【００８９】
筒状本体５２の内周面には、筒状本体５２の周方向において、３つの第１の突部５５が等間隔に形成されている。第１の突部５５と間隔を隔てられて、筒状本体５２の内周面には、筒状本体５２の周方向において、３つの第２の突部５６が形成されている。第１の突部５６は、第２の突部５６よりも針接合部５３側に位置している。３つの第１、第２の突部５５、５６は等間隔に形成されているが、平面視したときに第１、第２の突部５５、５６はほぼ同じ位置に形成されており、３組の第１、第２の突部５５、５６を構成している。
【００９０】
第１の突部５５の開口５４側に、筒状本体５２の内周面に対して略直交する方向に突出した係止面５５ｂが形成されている。第１の突部５５の針接合部５３側には、針接合部５３側に向かって径が大きくなる傾斜面が形成されている。第１の突部５５の先端５５ａの内周径は、第２の突部５６の先端５６ａの内周径よりも大きいかもしくは等しくされている。すなわち、第２の突部５６の先端５６ａは、第１の突部５５の先端５５ａよりもわずかに筒状本体５２の周方向の内側に突出している。第２の突部５６の先端５６ａと第１の突部５５の先端５５ａとが筒状本体５２の周方向のほぼ等しい位置まで突出しているか、先端５５ａよりも先端５６ａの方がわずかに筒状本体の周方向内側に突出していることが好ましい。なお、第１、第２の突部５５、５６のような形状の場合には、第１、第２の突部の径または内周径とは、筒状本体の周方向の中心から、第１、第２の突部までの距離をいう。
【００９１】
上記採血ホルダー１では、第１、第２の突部５、６は環状突部とされていたが、採血ホルダー５１のように、第１、第２の突部はそれぞれ複数形成されていてもよい。第１、第２の突部は、少なくとも１つずつ形成されていればよいが、３つずつ形成されていることが好ましい。第１、第２の突部が複数形成される場合には、筒状本体の周方向において、等間隔に形成されていることが好ましい。
【００９２】
なお、３組の第１、第２の突部５５、５６の両側には、それぞれスリット５７が設けられている。スリット５７は、筒状本体５２の天面５２ｃから、第２の突部５６の下方に延びている。
【００９３】
採血ホルダー５１では、スリット５７が設けられているため、第１、第２の環状突部５５、５６が変形し易い。すなわち、第１、第２の環状突部５５、５６が筒状本体５２の周方向外側により一層容易に拡がるように、スリット５７が設けられている。第１、第２の環状突部が容易に変形し得るように、筒状本体にスリットを設けることが好ましい。特に、ポリプロピレンなどの弾性を有するが、引張強さが大きい（伸びにくい）材料を用いて筒状本体を構成する場合には、スリットを設けることが好ましい。スリットは、第１の突部よりも針接合部側から、第２の突部よりも筒状本体の開口側に至るように形成されていることが好ましい。
【００９４】
採血ホルダー５１では、筒状本体５２内に採血管が挿入され、かつ第１の突部５５および／又は第２の突部５６に採血管が接触されたときに、スリット５７間の第１の突部５５および／又は第２の突部５６が筒状本体５２の周方向内側に向かう反発力を有しつつ筒状本体５２の周方向外側に拡がるように、筒状本体５２が構成されている。よって、採血ホルダー５１は、採血ホルダー１と同様に、フィルム栓タイプの採血管及びゴム栓タイプの採血管のいずれにも、好適に用いられる。
【図面の簡単な説明】
【００９５】
【図１】本発明の一実施形態の採血ホルダーを示す縦断面図。
【図２】本発明の一実施形態に係る採血ホルダー及び該採血ホルダーに用いることが可能な複数の採血管を示す斜視図。
【図３】（ａ）〜（ｃ）は、図２に示す真空採血管を採血ホルダー内に挿入していく過程を段階的に示す部分切欠縦断面図。
【図４】（ａ）〜（ｃ）は、図２に示す他の真空採血管を採血ホルダー内に挿入していく過程を段階的に示す部分切欠縦断面図。
【図５】（ａ）〜（ｃ）は、図２に示す別の真空採血管を採血ホルダー内に挿入していく過程を段階的に示す部分切欠縦断面図。
【図６】（ａ）〜（ｃ）は、図２に示すさらに別の真空採血管を採血ホルダー内に挿入していく過程を段階的に示す部分切欠縦断面図。
【図７】（ａ）〜（ｄ）は、本発明の他の実施形態の採血ホルダーを示す図であり、（ａ）は縦断面図、（ｂ）は正面図、（ｃ）は（ａ）に示すＡ−Ａ´部分における横断面図、（ｄ）は（ａ）に示すＢ−Ｂ´部分における横断面図である。
【符号の説明】
【００９６】
１…採血ホルダー
２…筒状本体
２ａ…一端
２ｂ…他端
３…針接合部
３ａ…開口
４…開口
５…第１の突部
５ａ…先端
５ｂ…係止面
６…第２の突部
６ａ…先端
６ｂ…傾斜面
１１…真空採血針
１２、１３…第１、第２の中空針
１４…ハブ
１４ａ…基部
１５…ゴムスリーブ
２１…真空採血管
２２…管状容器
２２ａ…開口
２３…栓体
２３ａ…上面
２５…真空採血管
２６…栓体
２６ａ…大径部
２６ｂ…小径部
２６ｃ…上面
２６ｄ…凹部
３１…真空採血管
３２…栓体
３２ａ…大径部
３２ｂ…小径部
３３…カバー
３３ａ…下端
３３ｂ…傾斜面
３３ｃ…上面
３５…真空採血管
３６…カバー
３６ａ…下端
３６ｂ…段差
３６ｃ…上面
５１…採血ホルダー
５２…筒状本体
５２ａ…一端
５２ｂ…他端
５３…針接合部
５４…開口
５５…第１の突部
５５ａ…先端
５５ｂ…係止面
５６…第２の突部
５６ａ…先端
５６ｂ…傾斜面
５７…スリット
【図１】
2007313203.tif 000003
【図２】
2007313203.tif 000004
【図３】
2007313203.tif 000005
【図４】
2007313203.tif 000006
【図５】
2007313203.tif 000007
【図６】
2007313203.tif 000008
【図７】
2007313203.tif 000009